(57)【特許請求の範囲】
【請求項１】
対向する一対の基板と、これらの基板間に挟持され、画像情報に応じて射出光束を変調して光学像を形成する光変調素子とを備えた画像表示装置であって、
前記対向する一対の基板は、複数の走査線と、複数のデータ線と、前記走査線および前記データ線の交差に対応してマトリクス状に配置された画素電極およびスイッチング素子とを備えた回路基板と、この回路基板に対向配置される対向基板とから構成され、
前記回路基板の前記光変調素子と接する面とは反対側の面には、発光素子を含む光源が設けられ、
前記発光素子は、前記走査線およびデータ線の長手方向に沿って格子状に設けられ、各画素電極を囲むように配置されていることを特徴する画像表示装置。
【請求項２】
請求項１に記載の画像表示装置において、
前記発光素子は、有機エレクトロルミネッセンス素子であることを特徴とする画像表示装置。
【請求項３】
請求項１に記載の画像表示装置において、
前記発光素子は、発光ダイオードであることを特徴とする画像表示装置。
【請求項４】
請求項１〜３のいずれかに記載の画像表示装置において、
前記回路基板の前記発光素子に対向する位置には、当該発光素子から射出される光束を反射させて前記光変調素子に導く反射部材が設けられていることを特徴とする画像表示装置。
【請求項５】
請求項１〜４のいずれかに記載の画像表示装置において、
前記光源は、赤色発光素子、緑色発光素子、および青色発光素子を含んで構成されることを特徴とする画像表示装置。
【請求項６】
請求項５に記載の画像表示装置において、
前記赤色発光素子、緑色発光素子、および青色発光素子のそれぞれを点灯制御する点灯制御回路を備え、
この点灯制御回路は、前記画像情報に含まれる色光毎の画像信号に同期して各発光素子の点灯制御を行うことを特徴とする画像表示装置。
【発明の詳細な説明】
【０００１】
【発明の属する技術分野】
本発明は、対向する一対の基板と、これらの基板間に狭持され、画像情報に応じて射出光束を変調して光学像を形成する光変調素子とを備えた画像表示装置に関し、例えば、回路基板および対向基板の間に液晶を狭持して構成される液晶表示装置に利用することができる。
【０００２】
【従来の技術】
従来より、画像情報に応じて射出光束を変調して光学像を形成する光変調素子として液晶が採用された液晶表示装置が利用されている。
この液晶表示装置は、例えば、アクティブマトリクス方式のものであれば、互いに対向配置される回路基板および対向基板、これらの基板間に狭持される液晶を備えた液晶パネルと、液晶パネルに隣接して設けられ、該液晶パネルに光束を供給するバックライトとを備えて構成される。回路基板には、複数の走査線と、複数のデータ線と、走査線およびデータ線の交差に対応してマトリクス状に配置された画素電極、およびＴＦＴ等のスイッチング素子とが形成されている。
【０００３】
バックライトから各画素電極に供給される光束は、画像情報に応じてデータ線および走査線に所定の電圧が印加され、スイッチング素子を制御して画素電極毎の光透過量を調整して射出され、所定の光学像が形成される。
このような液晶表示装置に用いられるバックライトとしては、従来より直下型やエッジライト型の蛍光管が利用されている。
【０００４】
【発明が解決しようとする課題】
しかしながら、このような蛍光管をバックライトとして利用した液晶表示装置は、蛍光管に高電圧を印加するためにインバータ回路等が必要となるうえ、蛍光管の発光に伴って発生するノイズに対して、液晶パネルの駆動回路を保護しなければならないため、液晶表示装置内部の構造が複雑化し、薄型化、軽量化を図るにしても限界がある、という問題がある。
また、近年、携帯電話、ノート型パーソナルコンピュータに利用される画像表示装置としては、薄型化、軽量化に加えて、より長寿命で消費電力の少ないものが要望されている。
【０００５】
本発明の目的は、薄型化、小型化を図ることができ、かつ消費電力が少なく長寿命化を図ることのできる画像表示装置を提供することにある。
【０００６】
【課題を解決するための手段】
本発明は、対向する一対の基板と、これらの基板間に挟持され、画像情報に応じて射出光束を変調して光学像を形成する光変調素子とを備えた画像表示装置であって、
前記対向する一対の基板は、複数の走査線と、複数のデータ線と、前記走査線および前記データ線の交差に対応してマトリクス状に配置された画素電極およびスイッチング素子とを備えた回路基板と、この回路基板に対向配置される対向基板とから構成され、
前記回路基板の前記光変調素子と接する面とは反対側の面には、発光素子を含む光源が設けられ、
前記発光素子は、前記走査線およびデータ線の長手方向に沿って格子状に設けられ、各画素電極を囲むように配置されていることを特徴する。
【０００７】
ここで、前述の対向する一対の基板としては、複数の走査線と、複数のデータ線と、走査線およびデータ線の交差に対応してマトリクス状に配置された画素電極およびスイッチング素子とを備えた回路基板と、この回路基板に対向配置される対向基板とから構成されたものや、複数の走査線が形成された一方の基板と、この走査線に交差する複数のデータ線が形成された他方の基板とから構成されたもの等が採用できる。また、発光素子としては、有機ＥＬ素子に限らず、例えば、発光ダイオード（ＬＥＤ）等も採用できる。
【０００８】
このような本発明によれば、基板に光源が設けられることにより、従来のバックライトが不要となるとともに、当該バックライトを利用するための対策を施さなくてよいので、装置内部の構造が簡素化され、これにより、画像表示装置の薄型化、小型化を図ることができる。また、有機エレクトロルミネッセンス素子等の発光素子は、低電力、高輝度という特徴を有しているので、これにより、画像表示装置として、消費電力が少なく長寿命化を図ることができる。
【０００９】
以上において、前述の発光素子は、光変調素子の光束透過領域を避けて基板上に設けられていることが好ましい。この際、対向する一対の基板は、複数の走査線と、複数のデータ線と、走査線およびデータ線の交差に対応してマトリクス状に配置された画素電極およびスイッチング素子とを備えた回路基板と、この回路基板に対向配置される対向基板とから構成され、発光素子は、回路基板上に設けられているのがよい。
【００１０】
この光変調素子の光束透過領域は、画素電極に電圧を印加し、光変調素子を駆動させた際に、画素電極から射出された光束が透過する部分である。言い換えると、光束透過領域は、走査線およびデータ線により区画された画素電極を意味する。具体的には、発光素子を回路基板の対向基板側の面に設ける場合には、画像表示領域内で光束透過領域を避けてスイッチング素子等と重ねて一緒に作り込むことが困難であるとともに、有機ＥＬ素子のような発光素子は、密着面では発光しない性質を有し、発光素子を光束透過領域に設けると、光変調素子および基板に密着してしまって発光不能となるので、画像表示領域を囲むような位置に配置しなければならない。一方、発光素子を回路基板の対向基板側とは反対側の面に設ける場合には、前述のスイッチング素子等に干渉することがないので、画像表示領域内の画素電極を避けた部分に作り込むことが可能である。このように、発光素子を、光変調素子の光束透過領域を避けて設けることで、当該発光素子の発光が妨げられることがなく、十分な光束の光源を確保することが可能となる。
【００１１】
また、前述の発光素子は、回路基板の光変調素子と接する側の面とは反対側の面に設けられているのがよい。ここで、回路基板の光変調素子と接する側の面とは反対側の面の、例えば、走査線およびデータ線の位置に応じた部分に発光素子を配置した場合、この回路基板の発光素子に対向する位置に反射部材を設けることで、発光素子から射出される光束を光束透過領域に導くことができるようになっている。
【００１２】
このようにすれば、発光素子から射出される光束の拡散を最小限に抑えることが可能となるので、光変調素子に形成される光学像を鮮明にすることができる。また、発光素子を回路基板の光変調素子と接する側の面とは反対側の面に設ければ、当該回路基板に反射部材を設けるだけで、発光素子から射出される光束を光束透過領域に導くことが可能となり、拡散板等が不要となるので、画像表示装置の構造の簡素化を図ることができる。さらに、発光素子を走査線およびデータ線の位置に応じた部分、つまり、当該走査線およびデータ線に沿って配置し、格子状に設ければ、光束透過領域に入射する光束の強度を、領域全体に渡って均一にすることができる。これにより、点光源や線光源に拡散板を設ける場合に比べて、光束強度の均一化を簡単に図ることができるとともに、画像表示装置の薄型化、小型化を図ることができる。また、発光素子を走査線およびデータ線に沿って配置し、格子状に設ければ、各画素電極を囲むように発光素子が配置されるので、画素の高輝度化を図ることが可能となる。
【００１３】
さらに、前述の光源は、赤色発光素子、緑色発光素子、および青色発光素子を含んで構成されることが好ましい。
【００１４】
このようにすれば、赤色光、緑色光、青色光を組み合わせることで白色光となるので、従来のバックライトを構成する蛍光管と同様の白色光を光源とすることができる。これにより、光変調素子等は、従来と同じ構造のものを流用することができ、画像表示装置の低コスト化を図ることができる。
【００１５】
また、前述の画像表示装置は、赤色発光素子、緑色発光素子、および青色発光素子のそれぞれを点灯制御する点灯制御回路を備え、この点灯制御回路は、画像情報に含まれる色光毎の画像信号に同期して各発光素子の点灯制御を行うことが望ましい。このようにすれば、赤色、緑色、青色の画像信号に同期させて、赤色発光素子、緑色発光素子、および青色発光素子を順次発光させることができるので、いわゆるカラーシーケンシャル型の画像表示装置とすることができる。従って、カラー画像を表示する画像表示装置において、赤色、緑色、青色毎のサブ画素の設定が不要となるので、画素の構造を簡素化することができるとともに、画素の小型化による画像表示装置の高解像度化を図ることができる。また、カラーフィルタも不要となるので、画像表示装置の構造の簡素化を図ることができる。
【００１６】
【発明の実施の形態】
以下に本発明の実施の形態を図面に基づいて説明する。
【００１７】
図１には、本発明の第１実施形態に係る画像表示システム１が示されている。画像表示システム１は、カラー画像情報を作成する画像処理装置であるパーソナルコンピュータ２と、このパーソナルコンピュータ２から入力されたカラー画像情報をカラー画像として形成・表示する画像表示装置である液晶ディスプレイ３とを含んで構成されている。パーソナルコンピュータ２は、カラー画像情報を赤色（Ｒ）、緑色（Ｇ）、青色（Ｂ）からなる画像信号で作成するとともに、この作成したカラー画像情報を液晶ディスプレイ３に出力するようになっている。
【００１８】
液晶ディスプレイ３は、液晶パネル制御回路１１と、カラー画像が形成・表示される液晶パネル１２とを含んで構成されている。液晶パネル１２は、図２にも示されるように、カラー画像が表示される画像表示領域２１と、この画像表示領域２１に光束を供給する光源２２とを備えて構成されている。画像表示領域２１は、入射した光束をパーソナルコンピュータ２からの画像情報に基づいて光変調し、入射側とは反対側から変調光束を射出する透過型のものであり、対向する一対の基板２３、２４と、これらの基板２３、２４間に挟持され、カラー画像情報に応じて射出光束を変調して光学像を形成する光変調素子である液晶２５とを備えている。
【００１９】
詳しくは、画像表示領域２１は、硝子等で構成された２枚の透明な基板２３、２４（対向基板２３、回路基板２４）の間にツイステッドネマチック（ＴＮ）液晶等の液晶２５が封入された部分、つまり、対向基板２３内の１点鎖線で囲まれた部分である。この画像表示領域２１には、走査線２４Ｄとデータ線２４Ｃと、走査線２４Ｄおよびデータ線２４Ｃに接続されたスイッチング素子としての薄膜トランジスタ（ＴＦＴ）２４Ｂと、このＴＦＴ２４Ｂに接続された画素電極２４Ａとを含んで構成された画素２１Ａが複数設けられている。
【００２０】
すなわち、対向基板２３には、共通電極および不要光を遮光するためのブラックマトリクス等が形成され（図示略）、他方の回路基板２４には、画素電極２４Ａ、スイッチング素子としての薄膜トランジスタ（ＴＦＴ）２４Ｂ等が形成され、ＴＦＴ２４Ｂを介して画素電極２４Ａに電圧が印加されると、共通電極との間に挟まれた液晶２５が駆動されるという構成である。
【００２１】
また、回路基板２４には、複数の走査線２４Ｄと複数のデータ線２４Ｃとが交差して配置され、その交差部付近にＴＦＴ２４Ｂがゲートを走査線２４Ｄ、ソースをデータ線２４Ｃ、ドレインを画素電極２４Ａに接続して配置される。そして、走査線２４Ｄには、順次選択電圧が印加され、それに応じてオンしたＸ軸方向の画素２１ＡのＴＦＴ２４Ｂを介して各画素２１Ａの駆動電圧が画素電極２４Ａに書き込まれる。ＴＦＴ２４Ｂは、非選択電圧の印加によりオフとなり、印加された駆動電圧を図示しない蓄積容量等に保持する。さらに、回路基板２４及び対向基板２３の外側には、それぞれ図示しない偏光板が設けられている。つまり、液晶ディスプレイ３は、その駆動方式がアクティブマトリクス方式となっている。ここで、画素電極２４Ａに電圧を印加し、液晶２５を駆動させた際に、当該画素電極２４Ａから射出された光束が透過する部分、言い換えると、液晶２５における走査線２４Ｄおよびデータ線２４Ｃにより区画された画素電極２４Ａの部分は、それぞれカラー画像を構成する光束が透過する光束透過領域となっている。
【００２２】
光源２２は、前述の対向基板２３における光束透過領域を含んだ画像表示領域２１を避けた部分（図中右側端部）の回路基板２４側の面に設けられており、赤色有機エレクトロルミネッセンス素子（以下、有機ＥＬ素子と略す）からなる赤色発光素子２２Ｒと、緑色有機ＥＬ素子からなる緑色発光素子２２Ｇと、青色有機ＥＬ素子からなる青色発光素子２２Ｂとを含んで構成されている。各発光素子２２Ｒ、２２Ｇ、２２Ｂは、対向基板２３上に設けられた一対の電極と、これら電極の間に挟持された発光層である各色の有機ＥＬ層とを含んで形成されている（図示略）。このように、光源２２を、赤色発光素子２２Ｒ、緑色発光素子２２Ｇ、および青色発光素子２２Ｂを含んで構成することにより、各発光素子２２Ｒ、２２Ｇ、２２Ｂから射出される各色の光束（色光）の赤色光、緑色光、青色光を組み合わせて白色光を取り出すことができるようになっている。
【００２３】
また、回路基板２４の対向基板２３側とは反対側には、光束を拡散させる拡散板１３が、各発光素子２２Ｒ、２２Ｇ、２２Ｂの配置に応じて設けられている。詳しくは、拡散板１３は、パーソナルコンピュータ２からのカラー画像情報に応じて光源２２から射出される赤色、緑色、青色の光束、つまり赤色光、緑色光、青色光が、図２の矢印で示されるように、当該拡散板１３で拡散して、所定の画素２１Ａで組み合わされて所望の色光が射出するような位置に設けられている。これにより、画像表示領域２１に所定のカラー画像（光学像）が形成されるようになっている。
【００２４】
図１に戻って、液晶パネル制御回路１１は、画像信号出力部１１Ａと、点灯制御回路である点灯制御部１１Ｂとを含んで構成されている。画像信号出力部１１Ａは、パーソナルコンピュータ２から入力された画像信号に基づいて液晶パネル１２の各画素２１Ａを制御するものである。点灯制御部１１Ｂは、画像情報に含まれる色光毎の画像信号に同期して各発光素子２２Ｒ、２２Ｇ、２２Ｂの点灯制御を行うものであり、具体的には、図３に示されるように、画像信号出力部１１Ａから出力される赤色（Ｒ）、緑色（Ｇ）、青色（Ｂ）の画像信号に同期させ、各発光素子２２Ｒ、２２Ｇ、２２Ｂへ制御信号を出力するようになっている。このようにすることで、赤色発光素子２２Ｒ、緑色発光素子２２Ｇ、および青色発光素子２２Ｂが順次発光するようになっている。つまり、本実施形態の液晶ディスプレイ３は、いわゆるカラーシーケンシャル型の画像表示装置となっている。
【００２５】
このような本実施形態によれば、次のような効果が得られる。
【００２６】
すなわち、対向基板２３に光源２２が設けられることにより、従来のバックライトが不要となるとともに、当該バックライトを利用するためのＥＭＩ対策を施さなくてよいので、液晶ディスプレイ３内部の構造が簡素化され、これにより、液晶ディスプレイ３の薄型化、小型化を図ることができる。また、有機ＥＬ素子からなる各発光素子２２Ｒ、２２Ｇ、２２Ｂは、低電力、高輝度という特徴を有しているので、これにより、液晶ディスプレイ３として、消費電力が少なく長寿命化を図ることができる。
【００２７】
また、各発光素子２２Ｒ、２２Ｇ、２２Ｂを対向基板２３上に設け、当該各発光素子２２Ｒ、２２Ｇ、２２Ｂの配置に応じて、回路基板２４に拡散板１３を設けたので、各発光素子２２Ｒ、２２Ｇ、２２Ｂから射出される光束を光束透過領域に簡単に導くことができる。さらに、各発光素子２２Ｒ、２２Ｇ、２２Ｂを、光束透過領域を避けて設けたので、当該発光素子の発光が妨げられることがなく、これにより、十分な光束の光源２２を確保できる。
【００２８】
また、光源２２を、赤色発光素子２２Ｒ、緑色発光素子２２Ｇ、および青色発光素子２２Ｂを含んで構成し、赤色光、緑色光、青色光を組み合わせて白色光を取り出すようにしたので、従来のバックライトを構成する蛍光管と同様の白色光を光源とすることができる。これにより、液晶２５等は、従来と同じ構造のものを流用することができ、液晶ディスプレイ３の低コスト化を図ることができる。
【００２９】
さらに、液晶ディスプレイ３に液晶パネル制御回路１１（点灯制御部１１Ｂ）を設け、カラー画像情報に含まれる色光毎の画像信号に同期して各発光素子２２Ｒ、２２Ｇ、２２Ｂの点灯制御を行うようにしたので、赤色、緑色、青色毎のサブ画素の設定が不要となり、画素２１Ａの構造を簡素化することができるとともに、画素２１Ａの小型化による液晶ディスプレイ３の高解像度化を図ることができる。また、カラーフィルタも不要となるので、液晶ディスプレイ３の構造の簡素化を図ることができる。
【００３０】
図４には、本発明の第２実施形態に係る液晶パネル１２Ｃが示されている。なお、前記第１実施形態と同一または相当構成部品には同じ符号を付し、説明を省略もしくは簡略する。本実施形態は、前記第１実施形態の対向基板２３上に設けていた各発光素子２２Ｒ、２２Ｇ、２２Ｂを、回路基板２４上に設けたものである。詳しくは、各発光素子２２Ｒ、２２Ｇ、２２Ｂは、回路基板２４における光束透過領域を含んだ画像表示領域２１を避けた部分（図中右側端部）の回路基板２４の液晶２５と接する側の面とは反対側の面に設けられている。
【００３１】
また、各発光素子２２Ｒ、２２Ｇ、２２Ｂの下方には、光束を拡散させる拡散板１３が設けられており、パーソナルコンピュータ２からのカラー画像情報に応じて光源２２から射出される赤色、緑色、青色の光束、つまり赤色光、緑色光、青色光が、図４の矢印で示されるように、当該拡散板１３で拡散して、所定の画素２１Ａで組み合わされて所望の色光が射出するような位置に設けられている。これにより、画像表示領域２１に所定のカラー画像（光学像）が形成されるようになっている。
【００３２】
このような本実施形態によれば、前記第１実施形態と同様の効果が得られるうえ、次のような効果が得られる。すなわち、各発光素子２２Ｒ、２２Ｇ、２２Ｂを、回路基板２４の液晶２５と接する側の面とは反対側の面に設けたので、各発光素子２２Ｒ、２２Ｇ、２２Ｂから射出される光束の拡散を最小限に抑えることができ、液晶２５に形成される光学像を鮮明にすることができる。また、回路基板２４にＴＦＴ２４Ｂや画素電極２４Ａ等の作り込みを含む一連の工程で各発光素子２２Ｒ、２２Ｇ、２２Ｂの作り込みもできるので、液晶パネル１２Ｃの製造工程の簡素化を図ることができる。
【００３３】
図５には、本発明の第３実施形態に係る液晶パネル１２Ｂが示されている。なお、前記第１実施形態と同一または相当構成部品には同じ符号を付し、説明を省略もしくは簡略する。本実施形態は、前記第２実施形態における回路基板２４の画像表示領域２１を避けた部分（図中右側端部）に設けていた各発光素子２２Ｒ、２２Ｇ、２２Ｂを、走査線２４Ｄおよびデータ線２４Ｃの位置に応じた部分に設けたものである。
【００３４】
詳しくは、各発光素子２２Ｒ、２２Ｇ、２２Ｂは、回路基板２４の液晶２５と接する面とは反対側の面の、走査線２４Ｄおよびデータ線２４Ｃに応じた部分、言い換えると、走査線２４Ｄおよびデータ線２４Ｃの両側に、当該走査線２４Ｄおよびデータ線２４Ｃの長手方向に沿って配置されて格子状に設けられ、各画素電極２４Ａを囲むように配置されている。また、この回路基板２４の各発光素子２２Ｒ、２２Ｇ、２２Ｂに対向する位置には、反射部材である反射板１４が設けられている。これにより、各発光素子２２Ｒ、２２Ｇ、２２Ｂからの光束は、反射板１４で反射して画素２１Ａ毎に導入され、光束透過領域に導かれるようになっている。つまり、本実施形態の液晶ディスプレイは、いわゆる反射型の画像表示装置となっている。
【００３５】
このような本実施形態によれば、前記第１および第２実施形態と同様の効果が得られるうえ、次のような効果が得られる。すなわち、回路基板２４に反射板１４を設けるだけで、各発光素子２２Ｒ、２２Ｇ、２２Ｂから射出される光束を光束透過領域に導くことができ、拡散板等が不要となるので、液晶ディスプレイ３の構造の簡素化を図ることができる。
【００３６】
さらに、各発光素子２２Ｒ、２２Ｇ、２２Ｂを走査線２４Ｄおよびデータ線２４Ｃに沿って配置し、格子状に設けたので、光束透過領域に入射する光束の強度を、領域全体に渡って均一にすることができる。これにより、例えば、点光源や線光源に拡散板を設ける場合に比べて、光束強度の均一化を簡単に図ることができるとともに、液晶ディスプレイ３の薄型化、小型化を図ることができる。また、各発光素子２２Ｒ、２２Ｇ、２２Ｂを走査線２４Ｄおよびデータ線２４Ｃに沿って格子状に設け、各画素電極２４Ａを囲むように配置したので、画素２１Ａの高輝度化を図ることができる。
【００３７】
図６には、本発明の第４実施形態に係る液晶パネル１２Ａが示されている。なお、前記第１実施形態と同一または相当構成部品には同じ符号を付し、説明を省略もしくは簡略する。本実施形態は、前記第２実施形態の回路基板２４の液晶２５と接する側の面とは反対側の面に設けていた各発光素子２２Ｒ、２２Ｇ、２２Ｂを、回路基板２４の液晶２５と接する側の面に設けたものである。詳しくは、各発光素子２２Ｒ、２２Ｇ、２２Ｂは、回路基板２４における光束透過領域を含んだ画像表示領域２１を避けた部分（図中右側端部）の対向基板２３側の面に設けられている。
【００３８】
また、各発光素子２２Ｒ、２２Ｇ、２２Ｂの上方には、光束を拡散させる拡散部材１３Ａが設けられている。この拡散部材１３Ａは、前記第１実施形態の拡散板１３と略同様の構造のものであり、パーソナルコンピュータ２からのカラー画像情報に応じて光源２２から射出される赤色、緑色、青色の光束、つまり赤色光、緑色光、青色光が、図６の矢印で示されるように、当該拡散部材１３Ａで拡散して、所定の画素２１Ａで組み合わされて所望の色光が射出するような位置に設けられている。これにより、画像表示領域２１に所定のカラー画像（光学像）が形成されるようになっている。
【００３９】
このような本実施形態によれば、前記第１実施形態と同様の効果が得られるうえ、次のような効果が得られる。すなわち、各発光素子２２Ｒ、２２Ｇ、２２Ｂを回路基板２４の液晶２５と接する側の面である対向基板２３側の面に配置し、この回路基板２４の上方に拡散部材１３Ａを配置したので、当該拡散部材１３Ａを液晶パネル１２Ａの枠内に収めることができ、これにより、液晶ディスプレイ３の薄型化、小型化をより一層図ることができる。また、回路基板２４にＴＦＴ２４Ｂや画素電極２４Ａ等の作り込みを含む一連の工程で各発光素子２２Ｒ、２２Ｇ、２２Ｂの作り込みもできるので、液晶パネル１２Ａの製造工程の簡素化を図ることができる。
【００４０】
なお、本発明は前記実施の形態に限定されるものではなく、本発明の目的を達成できる他の構成等を含み、以下に示すような変形等も本発明に含まれる。
【００４１】
例えば、発光素子としては、有機ＥＬ素子に限らず、例えば、発光ダイオード（ＬＥＤ）等も採用できる。この場合、光変調素子の光束透過領域に応じて発光ダイオードを配置し、当該発光ダイオードからの射出光が直接光束透過領域に導入されるようにしてもよく、発光素子の配置位置は、素子の種類に応じて実施に当たって適宜決めればよい。
【００４２】
また、液晶ディスプレイの駆動方式としては、アクティブマトリクス方式に限らず、例えば、複数の走査線が形成された一方の基板と、この走査線に交差する複数のデータ線が形成された他方の基板と、この間に挟持された液晶から構成されたパッシブマトリックス方式が採用できる。
【００４３】
さらに、前記第１実施形態では、点灯制御部を備えていたが、これに限らず、例えば、各画素に赤色、緑色、青色毎のサブ画素が設定されていれば、なくてもよい。
【００４４】
また、前記実施形態では、光源を、赤色発光素子、緑色発光素子、青色発光素子を含んで構成していたが、これに限らず、例えば、単に白色を発光する白色発光素子で構成してもよい。
【００４５】
【発明の効果】
以上に述べたように、本発明の画像表示装置によれば、一対の基板のうち、少なくともいずれか一方の基板に有機エレクトロルミネッセンス素子等の発光素子を含む光源を設けたので、薄型化、小型化を図ることができ、かつ、消費電力が少なく長寿命化を図ることのできるという効果がある。
【図面の簡単な説明】
【図１】本発明の第１実施形態における画像表示システムを示す概略図である。
【図２】前記実施形態における液晶パネルを示す分解斜視図である。
【図３】前記実施形態における液晶パネル制御回路の動作を示すタイムチャートである。
【図４】本発明の第２実施形態における液晶パネルを示す分解斜視図である。
【図５】本発明の第３実施形態における液晶パネルを示す概略図である。
【図６】本発明の第４実施形態における液晶パネルを示す概略図である。
【符号の説明】
１１  液晶パネル制御回路
１１Ｂ  点灯制御回路である点灯制御部
２２  光源
２２Ｒ  赤色発光素子
２２Ｇ  緑色発光素子
２２Ｂ  青色発光素子
２３  対向基板
２４  回路基板
２４Ａ  画素電極
２４Ｂ  スイッチング素子であるＴＦＴ
２４Ｃ  データ線
２４Ｄ  走査線
２５  光変調素子である液晶
【図１】
0003879370.tif 000002
【図２】
0003879370.tif 000003
【図３】
0003879370.tif 000004
【図４】
0003879370.tif 000005
【図５】
0003879370.tif 000006
【図６】
0003879370.tif 000007